(57)【要約】      （修正有）【課題】メッセージの変更が可能であって、手振旗と横断幕とを兼用することができる応援旗を提供する。【解決手段】応援旗１３は、旗布の両端に、ポール３１、３２を通す挿入孔を２つ有し、各挿入孔にポール３１、３２を通している。また、応援旗１３の旗布には、応援用シート４１を収納するポケットが設けられ、応援用シート４１は取り換えが可能である。また、応援旗１３は、旗布を２つ折りにし、ポール３１とポール３２とを合わせることにより、手振旗の形状となる。【選択図】図４
0003176778.tif 000002
【実用新案登録請求の範囲】
【請求項１】
２つ折り可能な矩形シートの両端に棒状部材を設けるとともに、前記矩形シートに別シートの保持部を設けたことを特徴とする応援旗。
【請求項２】
前記別シートの保持部は、少なくとも片面が透明な袋であることを特徴とする請求項１に記載の応援旗。
【請求項３】
前記袋に収納でき、取り換え可能な応援用シートを備えたことを特徴とする請求項１または請求項２に記載の応援旗。
【請求項４】
前記矩形シートの片面に、文字または図形を記載したことを特徴とする請求項１から請求項３のいずれか１項に記載の応援旗。
【請求項５】
前記矩形シートの片面を、文字または図形の書き込み可能な部材としたことを特徴とする請求項１から請求項４のいずれか１項に記載の応援旗。
【請求項６】
前記矩形シートの棒状部材を設けた両端を、着脱自在に取り付ける取り付け部材を設けたことを特徴とする請求項１から請求項５のいずれか１項に記載の応援旗。
【考案の詳細な説明】
【技術分野】
【０００１】
本考案は、応援旗に関し、特に、スポーツの応援等において使用する応援旗に関する。
【背景技術】
【０００２】
従来、スポーツ等を観戦する際には、その応援のために手振旗を使用することがある。このような手振旗は、方形やペナント形状等のシート状に形成された旗布を、細長いポール状の棒状部材の上部寄りに結び付けて構成されている。選手やチームを応援する観戦者は、この手振旗の棒状部材の下方を握り、棒状部材を振ってシート状の旗布をたなびかせて使用するものである。
【０００３】
このような手振旗は、何回も振り回してしまうと、旗布が棒状部材に絡まってしまうおそれがあるため、これを回避する手旗用旗棒が提案されている（特許文献１参照）。この手旗用旗棒は、旗布が取り付けられた旗棒本体が、観戦者が手に持つ把持用筒部に一端が回転自在に外嵌保持されている。
【０００４】
一方、文字や図形等により、選手やチームに自分たちのメッセージを伝えるための横断幕といったものもある。このような横断幕は、観客席の前方や後方の壁に掲出されたり、観戦者が自ら持って掲出したりしていた。
【先行技術文献】
【特許文献】
【０００５】
【特許文献１】特開２００３−１３１６０２号公報
【考案の概要】
【考案が解決しようとする課題】
【０００６】
しかしながら、従来の手振旗においては、チームのロゴやキャラクタ等が予め印刷されているものであり、変更がすることができないという問題があった。また、従来の横断幕においても、一度メッセージを書いてしまえば、これを変更するためには、新たな横断幕を作成しなければならないという問題があった。
【０００７】
さらに、従来の手振旗と横断幕とは、それぞれ独立したものであって、まったく別のものであった。このため、手振旗も、横断幕も、使用したい場合には、両者を持っていかなければならないという問題があった。
【０００８】
本考案は、このような従来の課題を解決するためになされたもので、メッセージの変更が可能であって、手振旗と横断幕とを兼用することができる応援旗を提供することを課題とする。
【課題を解決するための手段】
【０００９】
上記課題を解決するため、（１）本考案は、２つ折り可能な矩形シートの両端に棒状部材を設けるとともに、前記矩形シートに別シートの保持部を設けたことを特徴とする。
【００１０】
また、（２）本考案は、前記別シートの保持部は、少なくとも片面が透明な袋であることを特徴とする。
【００１１】
さらに、（３）本考案は、前記袋に収納でき、取り換え可能な応援用シートを備えたことを特徴とする。
【００１２】
さらに、（４）本考案は、前記矩形シートの片面に、文字または図形を記載したことを特徴とする。
【００１３】
さらに、（５）本考案は、前記矩形シートの片面を、文字または図形の書き込み可能な部材としたことを特徴とする。
【００１４】
さらに、（６）本考案は、前記矩形シートの棒状部材を設けた両端を、着脱自在に取り付ける取り付け部材を設けたことを特徴とする。
【考案の効果】
【００１５】
本考案によれば、メッセージの変更が可能であって、手振旗と横断幕とを兼用することができる応援旗を提供することができる。
【図面の簡単な説明】
【００１６】
【図１】第１の実施の形態における応援旗の概略構成を示す正面図である。
【図２】応援旗の概略構成を示す背面図、および、応援旗を２つ折りにした斜視図である。
【図３】第２の実施の形態における応援旗の概略構成を示す正面図である。
【図４】第３の実施の形態における応援旗の概略構成を示す背面図である。
【考案を実施するための形態】
【００１７】
以下、本考案の実施の形態における応援旗について、図面を参照して説明する。
【００１８】
［第１の実施の形態］
図１は、本実施の形態における応援旗の概略構成を示す正面図である。また、図２は、本実施の形態における応援旗の概略構成を示す背面図、および、応援旗を２つ折りにした斜視図である。
【００１９】
図１に示すように、応援旗１１は、矩形の旗布２１と、棒状のポール３１およびポール３２と、を備えている。
【００２０】
旗布２１は、表面２２に応援チームのキャラクタおよびロゴマークが記載されている。また、旗布２１は、両端にポール３１およびポール３２を挿入する挿入孔２３および挿入孔２４が形成されている。この旗布２１の挿入孔２３および挿入孔２４は、例えば、旗布２１の両端部を折り返して、所定の位置で接着、あるいは、縫い付けることにより、容易に形成することができる。
【００２１】
なお、旗布２１の幅、すなわち、ポール３１とポール３２との間の距離は、約４０ｃｍとなっており、人間の肩幅とほぼ同一の幅となっている。これにより、応援旗１１は、ポール３１およびポール３２の片手ずつに持って、頭上等に掲げやすくなっている。
【００２２】
ポール３１は、旗布２１の挿入孔２３よりも太いポール頭部３１ａと、挿入孔２３よりも細いポール本体部３１ｂと、を有している。ポール３１は、旗布２１の挿入孔２３にポール本体部３１ｂを通して使用される。
【００２３】
旗布２１は、ポール３１のポール頭部３１ａによって上部への抜けが防止されている。また、旗布２１の下部には、ストッパ３３が設けられている。このため、旗布２１の下部は、ストッパ３３によって上部への移動（ズレ）が防止される。
【００２４】
ストッパ３３は、ポール本体部３１ｂの外径よりも小さな内径を有し、円柱の一部が欠けた形状をしている。例えば、ストッパ３３は、ポール本体部３１ｂと同等の円柱の一部を切断し、その円柱を縦に半分に切断することにより、作成することができる。また、上記のように作成したストッパ３３では、切断面が尖ってしまうので、似たような形状で、安全性の高い専用のストッパを作成しても良い。
【００２５】
ポール３２は、ポール３１と同様のものであり、旗布２１の挿入孔２４よりも太いポール頭部３２ａと、挿入孔２４よりも細いポール本体部３２ｂと、を有している。また、ストッパ３４は、ストッパ３３と同様のものであり、ポール本体部３２ｂの外径よりも小さな内径を有し、円柱の一部が欠けた形状をしている。
【００２６】
そして、ポール３２は、旗布２１の挿入孔２４にポール本体部３２ｂを通して使用され、旗布２１は、ポール３２のポール頭部３２ａによって上部への抜けを防止され、旗布２１の下部は、ストッパ３４によって上部への移動が防止される。
【００２７】
このような応援旗１１は、旗布２１の表面２２を応援する選手、チームが戦っているグランドまたはピッチに向け、ポール３１およびポール３２を片手ずつに持って掲出すれば、横断幕としての役割を果たすことができる。
【００２８】
また、図２に示すように、旗布２１の裏面２５には、ポケット２６が設けられている。このポケット２６は、透明のシートが旗布２１の裏面２５に下部と左右が接着され、袋状になっている。
【００２９】
したがって、このポケット２６には、応援用シート４１を収納することができる。また、このポケット２６は、外側が透明シートとなっているので、応援旗１１の外部から応援用シート４１に記載されたメッセージを視認させることができる。
【００３０】
また、この応援用シート４１は、取り換えが可能であるので、他の応援メッセージを記載した応援用シートと変更することができ、観戦者が伝えたいメッセージを変更することができる。さらに、応援用シート４１は、裏返すこともできるので、表面と裏面とに異なるメッセージを記載しておけば、応援用シート４１を裏返すだけで、異なるメッセージを伝えることができる。
【００３１】
さらに、旗布２１の裏面２５、ポケット２６の内部に、メッセージを記載しておけば、ポケット２６内に応援用シート４１などを何も入れない状態にすることにより、このメッセージを視認させることができる。
【００３２】
したがって、応援旗１１は、旗布２１の裏面２５を応援する選手等の側に向けて掲出すれば、様々なメッセージを伝える横断幕として、使用することができる。
【００３３】
さらに、図２（ｂ）に示すように、応援旗１１は、旗布２１を２つ折りにし、ポール３１とポール３２とを合わせて、手振旗と同様な構成とすることができる。したがって、応援旗１１は、旗布２１を２つ折りにし、ポール３１およびポール３２をまとめて握れば、手振旗としての役割を果たすことができる。また、この旗布２１を２つ折りにする方向は、表面２２が見える方向に折っても良いし、裏面２５が見える方向に折っても良い。
【００３４】
以上のように、本実施の形態における応援旗１１は、観戦者が伝えたい応援メッセージを簡単な方法で、様々に変更することができるとともに、１つの応援旗１１で手振旗としても横断幕としても使用することができる。
【００３５】
なお、本実施の形態では、ポケット２６を旗布２１の裏面２５の全面に設けるようにしているが、これに限らず、裏面２５の一部に設けるようにしても良いし、複数設けるようにしても良い。また、ポケット２６を旗布２１の表面２２に設けるようにしても良い。この場合も、全面、一部、複数であっても良い。
【００３６】
［第２の実施の形態］
次に、本考案の第２の実施の形態における応援旗について、図面を参照して説明する。
【００３７】
図３は、本実施の形態における応援旗の概略構成を示す正面図である。
図３に示すように、本実施の形態における応援旗１２は、旗布２１ａの表面２２ａが無地で、観戦者によって文字や図形等を記載可能となっている。他の構成については、上記実施の形態の応援旗１１と同様の構成であるので、説明を省略する。
【００３８】
以上のように、本実施の形態における応援旗１２は、観戦者が伝えたい応援メッセージを簡単に記載することができるとともに、１つの応援旗１２で手振旗としても横断幕としても使用することができる。
【００３９】
なお、本実施の形態では、応援旗１２の表面２２ａを、文字や図形等の記載可能としているが、これに限らず、応援旗１２の裏面を、文字や図形等の記載可能としても良いし、両面を記載可能としても良い。
【００４０】
［第３の実施の形態］
次に、本考案の第３の実施の形態における応援旗について、図面を参照して説明する。
【００４１】
図４は、本実施の形態における応援旗の概略構成を示す背面図である。
図４に示すように、本実施の形態における応援旗１３は、旗布２１ｂの裏面２５ｂに、面ファスナー２７を備えている。他の構成については、上記実施の形態の応援旗１１または応援旗１２と同様の構成であるので、説明を省略する。
【００４２】
面ファスナー２７は、旗布２１ｂの裏面２５ｂの左上に面ファスナー２７ａ、右上に面ファスナー２７ｂ、左下に面ファスナー２７ｃ、右下に面ファスナー２７ｄをそれぞれ備えている。面ファスナー２７とは、旗布２１ｂを面で着脱可能とするファスナー、いわゆる、マジックテープ（登録商標）である。
【００４３】
具体的には、図２（ｂ）に示すように、旗布２１ｂを２つ折りにし、面ファスナー２７ａと面ファスナー２７ｂ、および、面ファスナー２７ｃと面ファスナー２７ｄを合わせることにより、旗布２１ｂのポール３１側端部と、ポール３２側端部と、を貼着することができる。
【００４４】
したがって、応援旗１３は、手振旗として用いる場合に、旗布２１ｂの両端部がしっかり貼着されているので、旗振りがしやすくなっている。
【００４５】
以上のように、本実施の形態における応援旗１３は、応援メッセージを様々に変更ができ、１つの応援旗１３で手振旗としても横断幕としても使用することができながら、手振旗としての使い勝手も向上させることができる。
【００４６】
なお、本実施の形態では、応援旗１３に面ファスナー２７を用いるようにしているが、これに限らず、この面ファスナー２７の代わりに、線ファスナーやボタン等を用いるようにしても良い。
【００４７】
なお、旗布２１の素材には、ポリ塩化ビニル製（例えば、ビニールなど）のものや、布製（例えば、不織布など）のものが好適である。例えば、ビニール製の旗布２１であれば、耐水性を向上させることが可能となり、布製の旗布２１であれば、軽量化でき又印字性も向上させることが可能となる。
【００４８】
また、本実施の形態では、応援旗１３における面ファスナー２７を設ける位置を、旗布２１ｂの裏面２５ｂの四隅としているが、これに限らず、旗布２１ｂの表面の四隅としたり、旗布２１ｂの裏面２５ｂの左側２ヶ所と表面の左側２ヶ所としたり、旗布２１ｂの両側面等としても良い。ここで、面ファスナー２７を設ける位置をどのような場所にしても、手振旗として用いる場合に、表面・裏面のどちら見える側にするかは、観戦者の面ファスナー２７の貼着の仕方で自由に変更することができる。
【００４９】
以上説明したように、本考案に係る応援旗は、メッセージの変更が可能であって、手振旗と横断幕とを兼用することができるという効果を有し、特に、スポーツの応援等において使用する応援旗等として有用である。
【符号の説明】
【００５０】
１１、１２、１３  応援旗
２１  旗布
２２  表面
２３、２４  挿入孔
２５  裏面
２６  ポケット
２７  面ファスナー
３１、３２  ポール
３１ａ、３２ａ  ポール頭部
３１ｂ、３２ｂ  ポール本体部
３３、３４  ストッパ
４１  応援用シート
【図１】
0003176778.tif 000003
【図２】
0003176778.tif 000004
【図３】
0003176778.tif 000005
【図４】
0003176778.tif 000006